(57)【要約】【課題】  立体的に成形された前毛芯に脇からウエストにかけての距離の変化を極力少なくし、表地に対する芯据え作業を容易に行えるようにした上衣の前毛芯を得る。【解決手段】  所定の箇所を抜ける構造線で分割した状態の衿前側部２と胸脇側部３を用意して、衿前側部２と胸脇側部３の分割辺４，５を付き合わせ縫着して立体的に成形される上衣の前毛芯であって、立体を出す部分に位置する胸脇側部３の分割辺５の部位を、出したい立体に応じて前記衿前側部２側に所定の曲線をもって積極的に突出させて形成し、該胸脇側部３の分割辺５と前記衿前側部２の分割辺４を付き合わせ縫着することにより、前記胸脇側部３の分割辺５の突出させた部位を隆起させ、同部位に所定の立体が得られるようにするとともに、成形された前毛芯は脇からウエストにかけての距離が縫着前とほとんど変わらないようにした。【選択図】  図１
2006161213.tif 000002
【特許請求の範囲】
【請求項１】
所定の箇所を抜ける構造線で分割した状態の衿前側部と胸脇側部を用意して、衿前側部と胸脇側部の分割辺を付き合わせ縫着して立体的に成形される上衣の前毛芯であって、立体を出す部分に位置する胸脇側部の分割辺の部位を、出したい立体に応じて前記衿前側部側に所定の曲線をもって積極的に突出させて形成し、該胸脇側部の分割辺と前記衿前側部の分割辺を付き合わせ縫着したことを特徴とする上衣の前毛芯。
【発明の詳細な説明】
【技術分野】
【０００１】
本発明は、上衣の前見頃と裏地との間に介在させる前毛芯に関するものである。
【背景技術】
【０００２】
上衣は、一般に、整形性、耐久性、審美性、機能性等を良くするため、前見頃と裏地との間に前毛芯を入れている。この前毛芯は、胸のボリューム等に合わせて立体的に成形することが行われている。この前毛芯を立体的に成形する手段として、従来は、図４に示すように、例えば、台芯７の胸の立体を出す部分にダーツ８（抜き癖）を設け、縫着することにより行っていた（例えば、特許文献１参照。）。また、図５に示すように、台芯７を肩部から胸部を通り胴部に抜ける中心の構造線で衿前側部９と胸脇側部１０に分割し、胸脇側部１０の分割辺１１を前記図４に示すダーツ８（抜き癖）に相当する部分１０ａをカットし、縫着することにより行っていた。また、台芯７だけでなく、胸増芯も同様の手段により立体的に成形されている。
【特許文献１】特開平２００１−１８１９１３号公報
【発明の開示】
【発明が解決しようとする課題】
【０００３】
しかしながら、上記の如き手段により立体的に成形された前毛芯は、ダーツ８として抜いた部分或いはカットした部分１０ａだけ、脇ＡからウエストＢにかけての距離が縫着前に比べて面積や距離が減ずることになる。この結果、表地に余りが出ることになり、このため、出来上がった上衣の表地に弛みが生じないようにするために、表地に対する芯据えに高度な技術を必要とし、作業が非常に難しい箇所となっているといった問題があった。特に、ボリュームが大きいと、この作業は一層難しく困難なものとなる。
【０００４】
本発明の目的とするところは、立体的に成形された前毛芯に脇からウエストにかけての距離の変化を極力少なくし、表地に対する芯据え作業を容易に行えるようにした上衣の前毛芯を提供することにある。
【課題を解決するための手段】
【０００５】
上記の目的を達成するために、本発明に係る上衣の前毛芯は、所定の箇所を抜ける構造線で分割した状態の衿前側部と胸脇側部を用意して、衿前側部と胸脇側部の分割辺を付き合わせ縫着して立体的に成形される上衣の前毛芯であって、立体を出す部分に位置する胸脇側部の分割辺の部位を、出したい立体に応じて前記衿前側部側に所定の曲線をもって積極的に突出させて形成し、該胸脇側部の分割辺と前記衿前側部の分割辺を付き合わせ縫着したことを特徴とする。
【０００６】
かかる構成から、立体を出す部分に位置する胸脇側部の分割辺の部位を、出したい立体に応じて前記衿前側部側に所定の曲線をもって積極的に突出させて形成し、該胸脇側部の分割辺と前記衿前側部の分割辺を付き合わせ縫着したものであるから、胸脇側部の分割辺と前記衿前側部の分割辺を付き合わせ縫着して成形された前毛芯は、前記胸脇側部の分割辺の突出させた部位が隆起し、同部位に所定の立体が得られるとともに、成形された前毛芯は脇からウエストにかけての距離が縫着前とほとんど変わらない。
【発明の効果】
【０００７】
以上のように、本発明に係る上衣の前毛芯によれば、胸脇側部の分割辺と前記衿前側部の分割辺を付き合わせ縫着して成形された前毛芯は、前記胸脇側部の分割辺の突出させた部位が隆起し、同部位に所定の立体が得られるとともに、成形された前毛芯は脇からウエストにかけての距離が縫着前とほとんど変わらないので、表地に対する芯据え作業が容易に行え、表地に張りのある綺麗な上衣を得ることができる。
【０００８】
即ち、従来の立体を出す部分にダーツ（抜き癖）を設け、縫着した前毛芯は、面積や距離を減ずるものとなっているが、本発明では、立体を出す部分に位置する胸脇側部の分割辺の部位を、出したい立体に応じて突出させるので、面積や距離を増やすものとなり、これにより、従来のダーツを設けた前毛芯では困難とされていた表地に対する芯据え作業が容易に行え、表地に張りのある綺麗な上衣を得ることができるものとなる。
【発明を実施するための最良の形態】
【０００９】
以下、本発明を実施するための最良の形態の一例を図面に基づいて詳細に説明する。図１は本発明に係る上衣の前毛芯の実施の形態の第１例を示す分解平面図である。
【００１０】
本例は、前毛芯が台芯１である場合の実施例であり、台芯１は、肩部から胸部を通り胴部に抜ける中心の構造線で衿前側部２と胸脇側部３に分割されており、衿前側部２の分割辺４と胸脇側部３の分割辺５を付き合わせて縫着されるようになっている。
【００１１】
前記胸脇側部３にあっては、その分割辺５の、前記台芯１における胸部のボリュームに応じた立体を出す部分に位置する部位を、出したい立体に応じて前記衿前側部２側に所定の曲線をもって積極的に突出させて形成している。
【００１２】
即ち、前記胸脇側部３の分割辺５には、前記台芯１における胸部のボリュームに応じた立体を出す部分に位置する部位に、衿前側部２の分割辺４と対応する胸脇側部３の仮想分割辺５ａから、出したい立体に応じて前記衿前側部２側に前記立体を出すための所定の曲線をもつ突出部３ａを突出させて設けている。
【００１３】
このように構成した衿前側部２の分割辺４と胸脇側部３の分割辺５を付き合わせて縫着すると、前記胸脇側部３の分割辺５に突出した突出部３ａの縫着部位が隆起し、同部位に所定の立体のある台芯１が成形される。そして、このように台芯１の立体成形は、従来のように、台芯の胸の立体を出す部分にダーツ（抜き癖）を設けたり、或いは肩胸側部の分割辺をダーツ（抜き癖）に相当する部分をカットする（面積を減ずる）のではなく、胸脇側部３の分割辺５に突出部３ａを設けて（面積を増やす）行うので、成形された台芯１は脇ＡからウエストＢにかけての距離が縫着前とほとんど変わらない。
【００１４】
また、前記隆起の大小は、突出部３ａを大きくとるか小さくとるかによって任意に求めることができ、そして、隆起を大きくしても成形された台芯１の脇ＡからウエストＢにかけての距離は縫着前とほとんど変わらない。
【００１５】
また、本例では、前記衿前側部２に逢着する胸脇側部３の地の目（縦目）を図上矢印イ方向に合わせている。このようにすると、胸部のボリュームに応じた立体をより効果的に保持することができる。
【００１６】
図２は本発明に係る上衣の前毛芯の実施の形態の第２例を示す分解平面図、図３は本発明に係る上衣の前毛芯の実施の形態の第３例を示す分解平面図であり、第２例、第３例は、それぞれ前毛芯が胸増芯６である場合の実施例である。
【００１７】
これらは、いずれも前記第１例と同様に、所定の箇所を抜ける構造線で衿前側部２と胸脇側部３に分割されており、衿前側部２の分割辺４と胸脇側部３の分割辺５を付き合わせて縫着されるようになっており、前記胸脇側部３にあっては、その分割辺５の、前記台芯１における胸部のボリュームに応じた立体を出す部分に位置する部位を、出したい立体に応じて前記衿前側部２側に所定の曲線をもって積極的に突出させて形成している。
【００１８】
このように構成した衿前側部２の分割辺４と胸脇側部３の分割辺５を付き合わせて縫着することにより、前記第１例と同様に、前記胸脇側部３の分割辺５に突出した突出部３ａの縫着部位が隆起し、同部位に所定の立体のある胸増芯６が成形される。そして、このように成形された胸増芯６は脇ＡからウエストＢにかけての距離が縫着前とほとんど変わらない。
【００１９】
また、第２例では、前記第１例と同様に、前記衿前側部２に縫着する胸脇側部３の地の目（縦目）を図上矢印イ方向に合わせている。このようにすると、胸部のボリュームに応じた立体をより効果的に保持することができる。
【００２０】
以上のように、本発明に係る上衣の前毛芯によれば、胸脇側部３の分割辺５と前記衿前側部２の分割辺４を付き合わせ縫着して成形された前毛芯は、前記胸脇側部３の分割辺５の突出させた部位が隆起し、同部位に所定の立体が得られるとともに、成形された前毛芯は脇からウエストにかけての距離が縫着前とほとんど変わらないので、表地に対する芯据え作業が容易に行え、表地に張りのある綺麗な上衣を得ることができるものとなる。
【図面の簡単な説明】
【００２１】
【図１】本発明に係る上衣の前毛芯の実施の形態の第１例を示す分解平面図である。
【図２】本発明に係る上衣の前毛芯の実施の形態の第２例を示す分解平面図である。
【図３】本発明に係る上衣の前毛芯の実施の形態の第３例を示す分解平面図である。
【図４】従来の上衣の前毛芯の一例を示す分解平面図である。
【図５】従来の上衣の前毛芯の他例を示す分解平面図である。
【符号の説明】
【００２２】
１  台芯
２  衿前側部
３  胸脇側部
３ａ  突出部
４  分割辺
５  分割辺
５ａ  仮想分割辺
６  胸増芯
Ａ  脇
Ｂ  ウエスト
【図１】
2006161213.tif 000003
【図２】
2006161213.tif 000004
【図３】
2006161213.tif 000005
【図４】
2006161213.tif 000006
【図５】
2006161213.tif 000007